【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
電子部品実装装置に取付けられたテープフィーダの下方に位置し、前記テープフィーダから排出されたテープを切断するカッターと、
前記カッターを支持した状態で前記電子部品実装装置の基台に着脱可能に取付けられる支持フレームと、を備え、
前記支持フレームが前記電子部品実装装置に取付けられた状態で、前記カッターの動作が電子部品実装装置の制御装置によって制御されるものであって、
前記支持フレームは、前記基台の一端部に載せられた状態で前記基台の他端部側に向けて前進することによって取付位置に位置付けられるものであり、
前記支持フレームの前端部には、前進方向に付勢されることにより前記基台の傾斜壁に押し付けられ、該支持フレームの前方向及び上下への移動が規制される第１のクランプ部が設けられ、
前記支持フレームは、前進方向に付勢されない状態においては前記基台に対して着脱可能となることを特徴とする電子部品実装装置用テープ切断装置。
【請求項２】
請求項１記載の電子部品実装装置用テープ切断装置において、
前記支持フレームの後部には、操作子と、この操作子と連動する押圧子とを有する第２のクランプ部が設けられ、
前記押圧子は、前記支持フレームが前記基台に対して着脱可能となる待避位置と、前記支持フレームを前進方向に付勢して前記第１のクランプ部を前記基台の傾斜壁に押し付ける押圧位置との間で移動するものであることを特徴とする電子部品実装装置用テープ切断装置。
【請求項３】
請求項２記載の電子部品実装装置用テープ切断装置において、
前記押圧子は、前記押圧位置のとき、前記第１のクランプ部が前記傾斜壁に押し付けられるように前記基台を後方に押すことを特徴とする電子部品実装装置用テープ切断装置。
【請求項４】
請求項１〜３のいずれか１項に記載された電子部品実装装置用テープ切断装置の前記支持フレームが載せられるアームと、
前記テープ切断装置が前記アームに固定される状態と固定が解除される状態とを切替えるロック装置と、
前記アームおよび前記ロック装置を上下方向に移動させる昇降装置と、
これらのアーム、ロック装置および昇降装置を支持する脚部材と、を備え、
前記テープ切断装置を運搬する機能と収納保管する機能とを有することを特徴とするテープ切断装置脱着作業用治具。
【請求項５】
基台と、
この基台の上でプリント配線板を搬送するコンベア装置と、
テープフィーダを含む電子部品供給装置が取付けられる部品供給部と、
前記部品供給部に供給された電子部品を前記プリント配線板に実装する部品移動装置と、
前記コンベア装置、前記部品供給部及び前記部品移動装置の少なくとも１つに設けられているアクチュエータと、
前記アクチュエータの動作を制御する制御装置と、を備え、
前記部品供給部には、前記テープフィーダから排出されたテープを切断する請求項１または請求項２に記載の電子部品実装装置用テープ切断装置が着脱可能に取付けられ、
前記制御装置は、前記テープフィーダから排出されたテープを切断する請求項１〜３のいずれか１項に記載の電子部品実装装置用テープ切断装置が着脱可能に取付けられ、
前記制御装置は、前記支持フレームが前記基台に取り付けられた状態で、前記カッターの動作を制御することを特徴とする電子部品実装装置。
【請求項６】
請求項５記載の電子部品実装装置において、
前記電子部品実装装置用テープ切断装置に関わる空気通路用のテープ切断装置側コネクタ、及び、通電用のテープ切断装置側コネクタと、
前記空気通路用のテープ切断装置側コネクタに着脱可能な空気通路用の電子部品実装装置側コネクタ、及び、通電用のテープ切断装置側コネクタに着脱可能な通電用の電子部品実装装置側コネクタと、をさらに備え、
前記電子部品実装装置用テープ切断装置が前記電子部品実装装置の中央部に向けて前進することで、前記支持フレームの前記第１のクランプ部が前記基台の傾斜壁に押し付けられて、前記支持フレームの前方向および上下方向への移動が規制されるとともに、空気通路用のテープ切断装置側コネクタに対して空気通路用の電子部品実装装置側コネクタが、通電用の切断装置側コネクタに対して通電用の電子部品実装装置側コネクタが、それぞれ接続状態となることを特徴とする電子部品実装装置。
【手続補正２】
【補正対象書類名】明細書
【補正対象項目名】０００９
【補正方法】変更
【補正の内容】
【０００９】
この目的を達成するために、本発明に係る電子部品実装装置用テープ切断装置は、電子部品実装装置に取付けられたテープフィーダの下方に位置し、前記テープフィーダから排出されたテープを切断するカッターと、前記カッターを支持した状態で前記電子部品実装装置の基台に着脱可能に取付けられる支持フレームと、を備え、前記支持フレームが前記電子部品実装装置に取付けられた状態で、前記カッターの動作が電子部品実装装置の制御装置によって制御されるものであって、前記支持フレームは、前記基台の一端部に載せられた状態で前記基台の他端部側に向けて前進することによって取付位置に位置付けられるものであり、前記支持フレームの前端部には、前進方向に付勢されることにより前記基台の傾斜壁に押し付けられ、該支持フレームの前方向及び上下への移動が規制される第１のクランプ部が設けられ、前記支持フレームは、前進方向に付勢されない状態においては前記基台に対して着脱可能となるものである。
【手続補正３】
【補正対象書類名】明細書
【補正対象項目名】００１０
【補正方法】変更
【補正の内容】
【００１０】
本発明は、上記発明において、前記支持フレームの後部には、操作子と、この操作子と連動する押圧子とを有する第２のクランプ部が設けられ、前記押圧子は、前記支持フレームが前記基台に対して着脱可能となる待避位置と、前記支持フレームを前進方向に付勢して前記第１のクランプ部を前記基台の傾斜壁に押し付ける押圧位置との間で移動するものであることを特徴とする。
本発明は、上記発明において、前記押圧子は、前記押圧位置のとき、前記第１のクランプ部が前記傾斜壁に押し付けられるように前記基台を後方に押すことを特徴とする。
【手続補正４】
【補正対象書類名】明細書
【補正対象項目名】００１１
【補正方法】変更
【補正の内容】
【００１１】
本発明に係るテープ切断装置脱着作業用治具は、上記発明の電子部品実装装置用テープ切断装置の前記支持フレームが載せられるアームと、前記テープ切断装置が前記アームに固定される状態と固定が解除される状態とを切替えるロック装置と、前記アームおよび前記ロック装置を上下方向に移動させる昇降装置と、これらのアーム、ロック装置および昇降装置を支持する脚部材と、を備え、前記テープ切断装置を運搬する機能と収納保管する機能とを有することを特徴とする。
【手続補正５】
【補正対象書類名】明細書
【補正対象項目名】００１２
【補正方法】変更
【補正の内容】
【００１２】
本発明に係る電子部品実装装置は、基台と、この基台の上でプリント配線板を搬送するコンベア装置と、テープフィーダを含む電子部品供給装置が取付けられる部品供給部と、前記部品供給部に供給された電子部品を前記プリント配線板に実装する部品移動装置と、前記コンベア装置、前記部品供給部及び前記部品移動装置の少なくとも１つに設けられているアクチュエータと、前記アクチュエータの動作を制御する制御装置と、を備え、前記部品供給部には、前記テープフィーダから排出されたテープを切断する請求項１または請求項２に記載の電子部品実装装置用テープ切断装置が着脱可能に取付けられ、前記制御装置は、前記テープフィーダから排出されたテープを切断する請求項１〜３のいずれか１項に記載の電子部品実装装置用テープ切断装置が着脱可能に取付けられ、前記制御装置は、前記支持フレームが前記基台に取り付けられた状態で、前記カッターの動作を制御することを特徴とする。
本発明は、上記発明において、前記電子部品実装装置用テープ切断装置に関わる空気通路用のテープ切断装置側コネクタ、及び、通電用のテープ切断装置側コネクタと、前記空気通路用のテープ切断装置側コネクタに着脱可能な空気通路用の電子部品実装装置側コネクタ、及び、通電用のテープ切断装置側コネクタに着脱可能な通電用の電子部品実装装置側コネクタと、をさらに備え、前記電子部品実装装置用テープ切断装置が前記電子部品実装装置の中央部に向けて前進することで、前記支持フレームの前記第１のクランプ部が前記基台の傾斜壁に押し付けられて、前記支持フレームの前方向および上下方向への移動が規制されるとともに、空気通路用のテープ切断装置側コネクタに対して空気通路用の電子部品実装装置側コネクタが、通電用の切断装置側コネクタに対して通電用の電子部品実装装置側コネクタが、それぞれ接続状態となることを特徴とする。